(57)【要約】【課題】受信可能な放送局のリストのリアルタイム性とサーチ精度を向上させることができる放送受信機およびリスト更新方法を提供する。【解決手段】放送波を受信可能なチューナ３ａ〜３ｄと、チューナ３ａ〜３ｄのうち、チューナ３ｄをサーチ用チューナとして制御して、周波数スキャンにより受信可能な放送局をサーチさせ、チューナ３ｃをデータ受信用チューナとして制御して、放送波に付加されたデータの受信を行わせるチューナ制御マイコン４と、チューナ３ｄによるサーチで得られた放送局のリスト候補およびチューナ３ｃにより受信されたデータに基づいて、受信可能な放送局のステーションリストを更新するメインマイコン５とを備える。【選択図】図１
2015226148.tif 000002
【特許請求の範囲】
【請求項１】
放送波を受信可能な３つ以上のチューナと、
前記３つ以上のチューナのうち、少なくとも１つのチューナをサーチ用チューナとして制御して、周波数スキャンにより受信可能な放送局をサーチし、残りの少なくとも１つのチューナをデータ受信用チューナとして制御して、前記放送波に付加されたデータの受信処理を行うチューナ制御部と、
前記サーチ用チューナによるサーチで取得された放送局のリスト候補および前記データ受信用チューナにより受信されたデータに基づいて受信可能な放送局のリストを更新するメイン制御部とを備える放送受信機。
【請求項２】
前記チューナを４つ以上備え、
前記チューナ制御部は、前記４つ以上のチューナのうち、少なくとも２つのチューナを視聴用チューナとして制御して、視聴対象の放送波をダイバーシティ受信することを特徴とする請求項１記載の放送受信機。
【請求項３】
前記チューナ制御部は、前記サーチ用チューナを制御して周波数スキャンにより受信可能な放送局をサーチする一連の処理を繰り返して、前回の周波数スキャンにより受信可能としてサーチされた放送局が今回の周波数スキャンではサーチされなかった場合、前記前回の周波数スキャンでサーチされた放送局を今回のリスト候補から除外することを特徴とする請求項１または請求項２記載の放送受信機。
【請求項４】
前記チューナ制御部は、前回の周波数スキャンで受信可能としてサーチされた放送局が今回の周波数スキャンでも受信可能としてサーチされたが、この放送局の放送波からデータを受信できなかった場合、前記データ受信用チューナを制御して、この放送局の放送波に付加されたデータの受信処理を再度行うことを特徴とする請求項３記載の放送受信機。
【請求項５】
放送波を受信可能な３つ以上のチューナを備えた放送受信機のリスト更新方法であって、
チューナ制御部が、前記３つ以上のチューナのうち、少なくとも１つのチューナをサーチ用チューナとして制御して、周波数スキャンにより受信可能な放送局をサーチし、残りの少なくとも１つのチューナをデータ受信用チューナとして制御して、前記放送波に付加されたデータの受信処理を行い、
メイン制御部が、前記サーチ用チューナによるサーチで取得された放送局のリスト候補および前記データ受信用チューナにより受信されたデータに基づいて受信可能な放送局のリストを更新するリスト更新方法。
【発明の詳細な説明】
【技術分野】
【０００１】
この発明は、ラジオ放送などの放送信号を受信する放送受信機およびリスト更新方法に関する。
【背景技術】
【０００２】
車載用のラジオ放送受信機には、ユーザの操作を介することなく、自動的に受信可能な放送局をサーチしてその結果をリスト（ステーションリスト）として提示する、いわゆるステーションリスト機能を有するものがある。ステーションリスト機能は、ユーザによってマニュアルで操作されるシーク機能と違って、常に受信可能な放送局を自動的にリスト表示させる必要がある。このため、リスト表示された放送局が現在の受信状態で受信可能であるかといった現在状況に対する追従性（リアルタイム性）と、的確に受信状態の良好な放送局がリスト表示されているかといったサーチ精度が要求される。
【０００３】
また、欧州を始めとした多くの国では、ＦＭ放送を利用して交通情報などを提供する、ラジオデータシステム−トラヒックメッセージチャンネル（ＲＤＳ−ＴＭＣ）が普及している。ＲＤＳは、欧州放送連合により規格化されたデジタルデータ多重システムであり、ＦＭ放送波に番組関連情報や交通情報などのデータが付加される。
【０００４】
さらに、既存のＡＭまたはＦＭアナログ放送の周波数帯を利用してアナログ放送と同時にデジタル信号を伝送する地上デジタルラジオ放送が普及している。
例えば、北米では、イン−バンドオンチャンネル（ＩＢＯＣ）方式のハイブリッド放送が開始されている。このハイブリッド放送においては、従来のアナログ方式のラジオ受信機で既存の放送を受信できるとともに、デジタル放送に対応したハイブリッドデジタル（ＨＤ）ラジオ受信機では、デジタルラジオ放送も受信可能である。
【０００５】
従来のラジオ受信機では、一般的に、視聴対象の番組を受信するチューナの他に、そのバックグラウンドで動作する、もう１つのチューナによってステーションリストの更新とデータ受信処理（ＲＤＳ−ＴＭＣ放送のＴＭＣデータや、ＨＤラジオ放送のデータの受信）を行っていた。すなわち、１つのチューナによって、データ受信処理は、ステーションリストを更新するための周波数スキャンの合間に行われている。
【０００６】
また、特許文献１には、メインチューナとサブチューナとによって所望の番組の放送をフェーズダイバーシティ受信し、ＲＤＳ−ＴＭＣチューナによってステーションリストの更新とＴＭＣデータ（交通情報）の受信処理とを行うラジオ受信機が開示されている。
ただし、このラジオ受信機においては、車載器の画面情報がラジオ操作画面である場合にステーションリストを更新し、ラジオ操作画面以外の場合はＴＭＣデータを受信する。
【先行技術文献】
【特許文献】
【０００７】
【特許文献１】特開２０１１−１９０４１号公報
【発明の概要】
【発明が解決しようとする課題】
【０００８】
しかしながら、欧州などのように複数の国の放送サービスが存在する地域においては、数十の放送局（４０〜５０局）がサーチ対象となる場合がある。またＲＤＳ−ＴＭＣ放送のＲＤＳデータを受信するには、数秒（３〜５秒）の時間が必要となる。
従って、特許文献１を含む従来の技術のように、１つのチューナによって、周波数スキャンとデータ受信処理とを逐次実行する場合、全ての放送局をサーチしてリストの候補を抽出し、さらにデータ受信処理の結果をリストに反映させるまでに常に時間がかかる。
このため、受信可能な放送局のリストにおけるリアルタイム性が劣化するという課題があった。例えば、受信状態が良好な放送局をリストアップできなかったり、反対に現在は受信状態が良好でない放送局がリストアップされる可能性もある。
【０００９】
また、周波数スキャンの合間にデータ受信処理を行いつつ、リストのリアルタイム性を確保するには、データ受信処理の時間および回数を最低限に限定する必要がある。
このため、データ受信処理時に受信状態が一時的に悪化してデータを正確に受信できなかった場合、ステーションリストが次に更新され、このときサーチされた放送局に対してデータ受信処理が行われるまでデータの利用やリストへの反映ができない。
例えば、放送局名のデータを受信できなかった場合は、ステーションリストに放送局名を表示することができず、ＴＭＣデータを受信できなければその後の運転にＴＭＣデータを利用できない。
【００１０】
なお、特許文献１は、車載器の画面情報に基づいてステーションリストの更新とデータ受信処理とのタイミングをそれぞれ変更しているが、車載器の画面情報が必ずしも適切なタイミングを与える基準とはなり得ない。
【００１１】
この発明は、上記のような課題を解決するためになされたもので、受信可能な放送局のリストのリアルタイム性とサーチ精度を向上させることができる放送受信機およびリスト更新方法を得ることを目的とする。
【課題を解決するための手段】
【００１２】
この発明に係る放送受信機は、放送波を受信可能な３つ以上のチューナと、３つ以上のチューナのうち、少なくとも１つのチューナをサーチ用チューナとして制御して、周波数スキャンにより受信可能な放送局をサーチし、残りの少なくとも１つのチューナをデータ受信用チューナとして制御して、放送波に付加されたデータの受信処理を行うチューナ制御部と、サーチ用チューナによるサーチで取得された放送局のリスト候補およびデータ受信用チューナにより受信されたデータに基づいて受信可能な放送局のリストを更新するメイン制御部とを備える。
【発明の効果】
【００１３】
この発明によれば、受信可能な放送局のリストのリアルタイム性とサーチ精度を向上させることができるという効果がある。
【図面の簡単な説明】
【００１４】
【図１】この発明の実施の形態１に係る放送受信機の構成を示すブロック図である。
【図２】実施の形態１に係る放送受信機の動作を示すフローチャートである。
【発明を実施するための形態】
【００１５】
実施の形態１．
図１は、この発明の実施の形態１に係る放送受信機の構成を示すブロック図である。図１において、放送受信機１は、車両などの移動体に搭載または持ち込まれ、ラジオ放送波を受信する放送受信機であり、アンテナ２ａ，２ｂ、チューナ３ａ〜３ｄ、チューナ制御マイコン４およびメインマイコン５を備える。
チューナ３ａ〜３ｄは、アンテナ２ａ，２ｂを介して、ＦＭラジオ放送波ａ，ｂとＡＭラジオ放送波ｃを受信可能なチューナである。なお、図１の例では、４つのチューナ３ａ〜３ｄを備える場合を示したが、本発明では、チューナは３つ以上あればよい。
【００１６】
また、放送受信機１は、視聴対象のラジオ放送波を受信する視聴用チューナに加えて、視聴用チューナによる受信処理のバックグラウンドで受信可能な放送局を順次サーチするサーチ用チューナ、およびサーチ用チューナでサーチされた放送局の放送波に付加されているデータを受信するデータ受信用チューナを備える。
チューナ３ａは、アンテナ２ａを介してＦＭラジオ放送波ａの受信が可能である一方、チューナ３ｂは、アンテナ２ｂを介してＦＭラジオ放送波ａとは異なるチャンネルのＦＭラジオ放送波ｂが受信可能である。
ただし、ユーザが現在視聴している放送局の音声品質を確保するために、チューナ制御マイコン４が、符号Ａで囲んだチューナ３ａおよびチューナ３ｂを視聴用チューナとして制御して、視聴対象の放送波をフェーズダイバーシティ受信する。
【００１７】
チューナ３ｄは、ステーションリスト機能を実現するサーチ用チューナとして機能し、チューナ３ｃは、データ受信用チューナとして機能する。
例えば、チューナ３ｃは、ＲＤＳまたはラジオ放送データシステム（ＲＢＤＳ）によりＦＭ放送に多重化されたＴＭＣデータを受信するとともに、ＨＤラジオ放送に付加されたＨＤ（Ｄｉｇｉｔａｌ）データを受信する。
なお、チューナ３ｃがデータ受信用チューナ、チューナ３ｄがサーチ用チューナである場合を示したが、反対にチューナ３ｃがサーチ用チューナ、チューナ３ｄがデータ受信用チューナであってもよい。
【００１８】
また、チューナ３ｂおよびチューナ３ｃは、受信した放送波のＲＦ信号をそのまま出力するバッファ機能を有する。例えば、本発明に係る放送受信機１を、アンテナが２つしかない車両に接続した場合に、チューナ３ｂとチューナ３ｃでＲＦ信号をバッファすることにより、チューナ３ａ〜３ｄのそれぞれに信号品質を劣化させることなくＲＦ信号を供給することができる。
【００１９】
チューナ制御マイコン４は、チューナ３ａ〜３ｄの各動作モードと選局処理を制御するチューナ制御部であり、例えばデジタルシグナルプロセッサ（ＤＳＰ）から構成される。
本発明においては、チューナ制御マイコン４が、チューナ３ａ〜３ｄのうち、チューナ３ｄを制御して周波数スキャンにより受信可能な放送局をサーチし、チューナ３ｃを制御して放送波に付加されたデータの受信処理を行う。
【００２０】
メインマイコン５は、制御バスを介してチューナ制御マイコン４と接続するマイコンであり、チューナ制御マイコン４から、サーチ用チューナ（チューナ３ｄ）によるサーチで取得された放送局のリスト候補およびデータ受信用チューナ（チューナ３ｃ）により受信されたデータを入力する。メインマイコン５は、放送局のリスト候補および放送波に付加されたデータに基づいて、受信可能な放送局のリスト（ステーションリスト）を更新するメイン制御部である。
【００２１】
ナビゲーションシステム６は、メインマイコン５に接続しており、メインマイコン５を介して放送受信機１で受信されたＴＭＣデータを取得する。またナビゲーションシステム６は、放送受信機１で受信されたＴＭＣデータ、現在位置および地図データに基づいて、放送受信機１を搭載または携帯する移動体のナビゲーション処理を行う。
【００２２】
次に動作について説明する。
図２は、実施の形態１に係る放送受信機の動作を示すフローチャートであり、放送受信機１によるステーションリストの更新処理の流れを示している。
まず、チューナ制御マイコン４は、ナビゲーションシステム６が起動しているか否かを確認する（ステップＳＴ１）。ナビゲーションシステム６が起動していない、もしくは、移動体にナビゲーションシステム６が搭載されていない場合（ステップＳＴ１；ＮＯ）、チューナ制御マイコン４は、ＦＭ放送（ＦＭバンド）およびＡＭ放送（ＡＭバンド）のうち、チューナ３ａ，３ｂにより現在選局されている受信バンドを特定する。そして、チューナ制御マイコン４は、特定したバンドにおける全ての放送局について、チューナ３ｄに周波数スキャンを要求する（ステップＳＴ２）。
【００２３】
ＲＤＳにおいて、ＴＭＣデータはＦＭ放送に付加（多重化）されて放送される。
そこで、ナビゲーションシステム６が起動している場合（ステップＳＴ１；ＹＥＳ）、チューナ制御マイコン４は、ＦＭバンドを優先して、ＦＭバンドにおける全ての放送局についてチューナ３ｄに周波数スキャンを要求する（ステップＳＴ３）。
このようにすることで、チューナ３ｃによりＦＭ放送から抽出されたＴＭＣデータを、ナビゲーションシステム６に適宜通知することができる。
なお、以降の処理内容はＦＭバンドとＡＭバンドで基本的に同じであるが、ＡＭバンドでデータ放送を行う放送局は多くないため、処理時間はＡＭバンドの方が短くなる。
【００２４】
チューナ３ｄは、チューナ制御マイコン４からの要求に従ってＦＭバンドにおける全ての放送局の周波数スキャンをそれぞれ実施する（ステップＳＴ４）。
例えば、各受信周波数における受信電力が予め定められた許容閾値以上であれば、受信可能な放送局であると判断される。
全ての放送局の周波数スキャンが完了すると（ステップＳＴ５）、チューナ３ｄは、受信可能な放送局のリスト候補をチューナ制御マイコン４に通知する。
チューナ制御マイコン４は、受信状態のよい放送局（受信可能な放送局）のリスト候補をリストアップする（ステップＳＴ６）。
【００２５】
次に、チューナ制御マイコン４は、チューナ３ｃに対して、ステップＳＴ６でリストアップした放送局の放送波に付加されたデータの受信を要求する（ステップＳＴ７）。
チューナ３ｃは、リストアップされた放送局（以下、ストップ局と記載する）がＨＤ局であるか否かを確認する（ステップＳＴ８）。
ストップ局がＨＤラジオ放送局でなければ（ステップＳＴ８；ＮＯ）、チューナ３ｃは、ストップ局がＲＤＳであるものと判断してＴＭＣデータを受信する（ステップＳＴ９）。
また、ストップ局がＨＤラジオ放送局であれば（ステップＳＴ８；ＹＥＳ）、チューナ３ｃは、ＨＤラジオ放送のデータを受信する（ステップＳＴ１０）。
【００２６】
チューナ制御マイコン４は、ステップＳＴ７でデータ受信を要求した後、チューナ３ｄに対して、ＦＭバンドにおける全ての放送局の周波数スキャンを再度要求する（ステップＳＴ１１）。チューナ３ｄは、チューナ制御マイコン４からの要求に従ってＦＭバンドにおける全ての放送局の周波数スキャンをそれぞれ実施する（ステップＳＴ１２）。
全ての放送局の周波数スキャンが完了すると（ステップＳＴ１３）、チューナ３ｄは、受信可能な放送局のリスト候補をチューナ制御マイコン４に通知する。
チューナ制御マイコン４は、チューナ３ｄから通知された結果に基づいてストップ局のリストを更新する（ステップＳＴ１４）。このとき、チューナ制御マイコン４は、ストップ局として新たに追加された放送局がある場合は、リストの最後尾に追加する（ステップＳＴ１５）。この後、ステップＳＴ７に戻る。
【００２７】
符号Ｂを付した枠で囲んで示したステップＳＴ７、ステップＳＴ１１からステップＳＴ１５までの一連の処理は、ＦＭバンドを処理している間、以降の処理を待たず繰り返して実行される。これにより、チューナ３ｄは、受信可能な放送局をリストアップした後に、直ちに次のサーチを繰り返し実施してリスト内容を更新する。
本発明では、サーチ用チューナとデータ受信用チューナとが別のチューナで実現され、これらが互いに独立して動作することから、データ受信処理によらず、サーチ処理を繰り返し実行することができる。これにより、現在の受信状況に応じてストップ局を更新することが可能である。また、データ受信処理もサーチ処理によらず行うことができるので、従来よりも時間をかけることが可能となる。これにより、放送局名（ＰＳ−ｎａｍｅ）やＴＭＣデータを精度よく取得することができる。
【００２８】
チューナ制御マイコン４は、ステップＳＴ１４でリストが更新されるたびに、ステップＳＴ９もしくはステップＳＴ１０でデータ受信を実施した放送局が、更新されたリストにあるか否かを照合する（ステップＳＴ１６）。
リスト照合されない場合（ステップＳＴ１７；ＮＯ）、すなわち、ステップＳＴ９もしくはステップＳＴ１０でデータ受信を実施した放送局が更新されたリストにない場合は、チューナ制御マイコン４は、ステップＳＴ９もしくはステップＳＴ１０でデータ受信を実施した放送局をリスト候補局から除外する（ステップＳＴ１８）。
このように前回の周波数スキャンで受信可能としてサーチされた放送局が今回の周波数スキャンではサーチされなかった場合、前回の周波数スキャンでサーチされた放送局を、今回のリスト候補から除外している。これにより、現在の受信状況では受信不可になった放送局をリスト候補から的確に除外できる。
【００２９】
リスト照合された場合（ステップＳＴ１７；ＹＥＳ）、チューナ制御マイコン４は、ステップＳＴ９もしくはステップＳＴ１０で放送局のデータ受信ができているか否かを確認する（ステップＳＴ１９）。ここで、放送局のデータ受信ができていない場合（ステップＳＴ１９；ＮＯ）、チューナ制御マイコン４は、チューナ３ｃに対して当該放送局についてデータの受信を要求する（ステップＳＴ２０）。
チューナ３ｃは、当該放送局（ストップ局）がＨＤ局であるか否かを確認する（ステップＳＴ２１）。ＨＤラジオ放送局でなければ（ステップＳＴ２１；ＮＯ）、チューナ３ｃは、ストップ局がＲＤＳであるものと判断してＴＭＣデータを受信する（ステップＳＴ２２）。またＨＤラジオ放送局であれば（ステップＳＴ２１；ＹＥＳ）、チューナ３ｃは、ＨＤラジオ放送のデータを受信する（ステップＳＴ２３）。
【００３０】
チューナ制御マイコン４は、ステップＳＴ２２もしくはステップＳＴ２３のデータ受信処理の結果に基づいて、上記放送局の放送波に付加されたデータの受信に成功したか否かを判定する（ステップＳＴ２４）。ここで、データ受信に成功しなかった場合（ステップＳＴ２４；ＮＯ）、チューナ制御マイコン４は、上記放送局は放送波にデータを付加していない放送局、すなわち“データなしの放送局”であると確定する（ステップＳＴ２５）。
【００３１】
データの受信に成功した場合（ステップＳＴ２４；ＹＥＳ）、チューナ制御マイコン４は、これまでの処理で得られた放送局のリスト候補（ステーションリストの候補局）と、ステップＳＴ２２もしくはステップＳＴ２３のデータ受信処理の結果（データなしの場合も含む）とをメインマイコン５に通知する（ステップＳＴ２６）。
メインマイコン５は、チューナ制御マイコン４から通知された放送局のリスト候補と、データ受信処理の結果に基づいて、受信可能な放送局のステーションリスト（ＦＭステーションリスト）を更新する（ステップＳＴ２７）。
【００３２】
上述したように、ステップＳＴ９もしくはステップＳＴ１０においてデータ取得に失敗した放送局は、チューナ３ｃによって次のリストについてデータの受信処理を開始する前に、ステップＳＴ２２もしくはステップＳＴ２３で優先的にデータ受信処理を行う。
ここで、再度データが取得できなかった放送局のうち、リスト照合に２回一致した放送局については、データを放送していない局と確定されてリスト候補とされる。
このようにすることで、データ受信処理時に受信状態が一時的に悪化してデータが受信できなかった場合であっても、２回目のデータ受信処理によって的確にデータを取得することができる。
なお、図２において、最初にリストアップされた全てのストップ局のデータ受信処理がチューナ３ｃによって一通り実行されるまでを１ループとし、データ受信処理は、優先されているバンドで２ループ実施される。
【００３３】
以上のように、この実施の形態１によれば、放送波を受信可能なチューナ３ａ〜３ｄと、チューナ３ａ〜３ｄのうち、チューナ３ｄを制御して、周波数スキャンにより受信可能な放送局をサーチし、チューナ３ｃを制御して、放送波に付加されたデータの受信処理を行うチューナ制御マイコン４と、チューナ３ｄによるサーチで取得された放送局のリスト候補およびチューナ３ｃにより受信されたデータに基づいて受信可能な放送局のステーションリストを更新するメインマイコン５とを備える。
このように構成することで、チューナ３ｃとチューナ３ｄが互いに独立して処理を行うことができる。このためステーションリストの更新間隔が短くなり、またデータ受信処理に時間をかけることが可能となり、受信可能な放送局のリストのリアルタイム性とサーチ精度を向上させることができる。
【００３４】
また、この実施の形態１によれば、チューナ制御マイコン４は、チューナ３ａ，３ｂを制御して視聴対象の放送波をフェーズダイバーシティ受信する。このようにすることで、現在視聴している放送局の音声品質を確保することができる。
【００３５】
さらに、この実施の形態１によれば、チューナ制御マイコン４は、チューナ３ｄを制御して周波数スキャンにより受信可能な放送局をサーチする一連の処理を繰り返して、前回の周波数スキャンで受信可能としてサーチされた放送局が今回の周波数スキャンではサーチされなかった場合、前回の周波数スキャンでサーチされた放送局を今回のリスト候補から除外する。このようにすることにより、現在の受信状況では受信不可になった放送局をリスト候補から的確に除外できる。
【００３６】
さらに、この実施の形態１によれば、チューナ制御マイコン４は、前回の周波数スキャンで受信可能としてサーチされた放送局が今回の周波数スキャンでもサーチされたが、この放送局の放送波からデータを受信できなかった場合、チューナ３ｃを制御して、この放送局の放送波に付加されたデータの受信処理を再度行う。このようにすることで、データ受信処理時に受信状態が一時的に悪化してデータが受信できなかった場合であっても、２回目のデータ受信処理によって的確にデータを取得することができる。また２回目のデータ受信処理でもデータを取得できなかった場合には、元々データを送信していない放送局であると確定することもできる。
【００３７】
なお、本発明はその発明の範囲内において、実施の形態の任意の構成要素の変形、もしくは実施の形態の任意の構成要素の省略が可能である。
【符号の説明】
【００３８】
１  放送受信機、２ａ，２ｂ  アンテナ、３ａ〜３ｄ  チューナ、４  チューナ制御マイコン、５  メインマイコン、６  ナビゲーションシステム。
【図１】
2015226148.tif 000003
【図２】
2015226148.tif 000004